(57)【要約】【課題】通常の使用時にドア枠１１のずれや剥がれ、外れ等を防いで信頼性を高める一方、リフォーム時には壁部１のクロスの剥がれ等を招くことなくドア枠１１を容易に交換できるようにし、リフォーム作業や工事を容易で簡潔に行い得るようにする。【解決手段】ドア枠１１は、建物の壁部１の開口部２周りに配置される左右の縦枠１２と上枠１３とを備える。縦枠１２及び上枠１３は、いずれも、柱３及びまぐさ４に裏面でビスＶにより固定される下地枠１５と、この下地枠１５の表面に着脱可能に取付固定される化粧枠２０との二重構造とする。下地枠１５の表面に埋込ナット３６が埋め込み状態で係合され、化粧枠２０にはボルト挿通孔２７，３０が形成され、ボルト挿通孔２７，３０に挿通された締結ボルト３７が下地枠１５の埋込ナット３６に螺合締結されることで、化粧枠２０が下地枠１５に着脱可能に取付固定される。【選択図】図２
2020066885.tif 000002
【特許請求の範囲】
【請求項１】
建物の壁部の開口部に施工されるドア枠であって、
上記開口部周りに配置される縦枠及び横枠を備え、
上記縦枠及び横枠は、開口部周りの躯体に裏面で固定される下地枠と、該下地枠の表面に固定金具により着脱可能に取付固定される化粧枠との二重構造であることを特徴とするドア枠。
【請求項２】
請求項１において、
化粧枠は、壁部厚さ方向の一側に位置する第１枠材と、他側に位置する第２枠材とに分割され、
上記第１及び第２枠材は、化粧枠の幅が調整されるように壁部厚さ方向に相対移動可能に下地枠に取付固定されていることを特徴とするドア枠。
【請求項３】
請求項１又は２において、
化粧枠は、壁部厚さ方向の両端部に、少なくとも下地枠を覆う側部を有することを特徴とするドア枠。
【請求項４】
請求項１〜３のいずれか１つにおいて、
縦枠及び横枠のうちの一方の化粧枠には、その壁部厚さ方向の両側部を該両側部以外の化粧枠の他の部分よりも化粧枠の長さ方向に延ばした延長部が設けられていることを特徴とするドア枠。
【請求項５】
請求項１〜４のいずれか１つにおいて、
固定金具は、ナットと該ナットに螺合締結されるボルトとを備え、
上記ナット及びボルトの一方は、予め下地枠に係合されており、
化粧枠には上記ボルトを挿通可能なボルト挿通孔が形成され、
化粧枠のボルト挿通孔に挿通された上記ボルトがナットに螺合締結されることで、化粧枠が下地枠に取付固定されていることを特徴とするドア枠。
【請求項６】
請求項５において、
下地枠にナットが係合されており、
上記下地枠の表面には、上記ナットを埋め込み状態で収納するための溝部が長さ方向の全体に亘って形成され、
下地枠は、上記溝部の底壁部を貫通する固定具により躯体に固定されていることを特徴とするドア枠。
【請求項７】
請求項１〜６のいずれか１つのドア枠と、
上記ドア枠又は開口部周りの躯体に揺動可能に支持されたドアとを備えたことを特徴とするドア装置。
【請求項８】
請求項１のドア枠の施工方法であって、
予め、下地枠に締結金具としてのナット及び該ナットに螺合締結されるボルトの一方を係合する一方、化粧枠には上記ボルトを挿通可能なボルト挿通孔を形成しておき、
上記下地枠を開口部周りの躯体に取付固定し、
上記ボルトを化粧枠のボルト挿通孔に挿通させて上記ナットに締結することにより、化粧枠を下地枠に取付固定することを特徴とするドア枠の施工方法。
【発明の詳細な説明】
【技術分野】
【０００１】
本発明はドア枠、その施工方法及びドア装置に関する。
【背景技術】
【０００２】
一般に、この種のドア枠は、建物の開口部周りの躯体（柱やまぐさ）にビス等によって固定されており、そのドア枠にドアを支持するようになっている。そのため、ドアのリフォーム等の際にドア枠を簡単に取り外すことができず、取り外しは大掛かりな工事となる。例えば取り外しの工事では、ドア枠に接する部分の壁材の壁クロスや壁紙が剥がれる等、ドア枠の交換のみでは済み難いことが生じる。
【０００３】
そこで、従来、リフォーム可能なドア枠として、例えば特許文献１や特許文献２に示されるものが提案されている。特許文献１の技術では、開口枠（ドア枠）の縦枠及び上枠を躯体に対し接着剤で固定し、その接着剤の剥離強度を縦枠及び躯体自体の剥離強度よりも小さくして、開口枠の取り外し時に接着剤で分離させるようにしている。
【０００４】
一方、特許文献２のものでは、扉枠（ドア枠）の縦枠にダボとピンとを、また上枠にダボが収容される水平溝と、ピンに係合される固定部材とをそれぞれ設け、縦枠と上枠とを、ダボが水平溝に収容されかつ固定部材によってピンが係合された状態で着脱可能に連結するようになっている。
【先行技術文献】
【特許文献】
【０００５】
【特許文献１】特開２０１４−１０５５６２号公報
【特許文献２】特開２０１４−８８７２８号公報
【発明の概要】
【発明が解決しようとする課題】
【０００６】
しかし、上記特許文献１のものでは、ドア枠を容易に取り外すことができたとしても、ドア枠を躯体に固定する接着剤の接着力が小さいことから、通常の使用時にドア枠が躯体からずれたり、外れたり剥がれたりする虞れがあり、信頼性の点で難がある。
【０００７】
また、リフォーム時にドア枠を取り外す際に、躯体の壁紙上に接着剤が剥離片として残り、その剥離片を除去せねばならず、そのときに壁材を損傷することがあり、作業の手間が大きい。
【０００８】
これに対し、特許文献２のものでは、上枠の取り外しが容易であるものの、縦枠についてはビスや接着剤で躯体に固定されており、ドア枠全体を交換するのは困難である。
【０００９】
本発明は斯かる点に鑑みてなされたもので、その目的は、ドア枠の構造を改良することにより、通常の使用時におけるドア枠のずれや剥がれ、外れ等を防いで信頼性を高める一方、リフォーム時には壁材の壁クロスや壁紙の剥がれ等を招くことなくドア枠を容易に交換できるようにし、リフォーム作業を容易で簡潔に行い得るようにすることにある。
【課題を解決するための手段】
【００１０】
上記の目的を達成すべく、この発明では、ドア枠は躯体に常時固定される下地枠と、その下地枠上に着脱可能に固定される化粧枠との二重構造として、交換時には化粧枠のみを交換するようにした。
【００１１】
具体的には、第１の発明は、建物の壁部の開口部に施工されるドア枠であって、その開口部周りに配置される縦枠及び横枠を備え、これら縦枠及び横枠は、開口部周りの躯体に裏面で固定される下地枠と、該下地枠の表面に固定金具により着脱可能に取付固定される化粧枠との二重構造であることを特徴とする。
【００１２】
この第１の発明では、ドア枠の縦枠及び横枠は、開口部周りの躯体に固定される下地枠と、その下地枠に着脱可能に取付固定される化粧枠との二重構造であるので、リフォーム等のためにドア枠を交換するときには、ドア枠のうちの下地枠はそのままで、固定金具による固定状態を解除し、化粧枠のみを取り外して新しいものと交換すればよい。このように化粧枠のみを交換することにより、開口部周りの壁材の壁クロスや壁紙等が剥がれることはなく、ドア枠の交換が容易になってリフォームの作業や工事を容易にかつ簡潔に行うことができる。
【００１３】
また、下地枠は開口部周りの躯体に固定され、化粧枠はその下地枠に固定金具により取付固定されているので、通常の使用時にドア枠は躯体に強固に固定され、そのずれや剥がれ、外れ等が生じることはなく、ドア枠の信頼性を高めることができる。
【００１４】
第２の発明は、第１の発明において、化粧枠は、壁部厚さ方向の一側に位置する第１枠材と、他側に位置する第２枠材とに分割され、これら第１及び第２枠材は、化粧枠の幅が調整されるように壁部厚さ方向に相対移動可能に下地枠に取付固定されていることを特徴とする。
【００１５】
この第２の発明では、化粧枠が第１枠材及び第２枠材に分割され、これらの枠材は壁部の厚さ方向に相対移動可能に下地枠に取付固定されているので、化粧枠の幅を調整するときには、両枠材を相対移動させて化粧枠の幅を調整し、その調整状態で両枠材を固定金具により下地枠に取付固定すればよい。このことで、例えば壁部の厚さが施工箇所で種々に異なっていても、それに合わせて化粧枠の幅を容易に調整することができる。
【００１６】
第３の発明は、第１又は第２の発明において、化粧枠は、壁部厚さ方向の両端部に、少なくとも下地枠を覆う側部を有することを特徴とする。
【００１７】
この第３の発明では、化粧枠の側部により下地枠が覆われるようになり、下地枠は全体が表に露出せず、化粧枠のみが見えるようになり、ドア枠の意匠性を高めることができる。また、この化粧枠の側部により壁部の一部も覆うようにすれば、ドア枠の納まりが良好になって見映えが良くなる。
【００１８】
第４の発明は、第１〜第３の発明のいずれか１つにおいて、縦枠及び横枠のうちの一方の化粧枠には、その壁部厚さ方向の両側部を該両側部以外の化粧枠の他の部分よりも化粧枠の長さ方向に延ばした延長部が設けられていることを特徴とする。
【００１９】
この第４の発明では、縦枠及び横枠のうちの一方の化粧枠の壁部厚さ方向の両側部に延長部が設けられているので、ドア枠を前側又は後側から見たとき、縦枠及び横枠のうちの一方の化粧枠の延長部がその幅方向の側縁部で他方の化粧枠の側部の長さ方向端部に突き合わされた状態になる。このため、縦枠及び横枠のうちの一方が他方に優先された配置となり、通常一般のドア枠と同様の外観が得られる。
【００２０】
第５の発明は、第１〜第４の発明のいずれか１つにおいて、固定金具は、ナットと該ナットに螺合締結されるボルトとを備え、これらナット及びボルトの一方は、予め下地枠に係合されており、化粧枠には上記ボルトを挿通可能なボルト挿通孔が形成され、化粧枠のボルト挿通孔に挿通された上記ボルトがナットに締結されることで、化粧枠が下地枠に取付固定されていることを特徴とする。
【００２１】
この第５の発明では、固定金具のナット及びボルトの一方は予め下地枠に係合されており、化粧枠のボルト挿通孔にボルトを挿通してそのボルトにナットを締結することで、化粧枠が下地枠に取付固定される。このことで、化粧枠を下地枠に対し容易に着脱することができる。
【００２２】
また、下地枠に予めナット及びボルトの一方が係合されているので、その位置に化粧枠のボルト挿通孔を合わせるだけで下地枠に対する化粧枠の取付位置が容易に判るようになり、施工性が向上する。しかも、化粧枠を固定するためのナット及びボルトの一方は下地枠に係合されているので、固定金具が躯体まで達することはなく、躯体に不要に穴が開いて傷付くのを防ぐことができる。
【００２３】
第６の発明は、第５の発明において、下地枠にナットが係合されており、下地枠の表面には、ナットを埋め込み状態で収納するための溝部が長さ方向の全体に亘って形成され、下地枠は、上記溝部の底壁部を貫通する固定具により躯体に固定されていることを特徴とする。
【００２４】
この第６の発明では、下地枠の溝部にナットを埋込状態で収納することができる。また、この溝部の底壁部を貫通する固定具により下地枠が躯体に固定される。このことで、溝部をナットの埋込みだけでなく固定具の貫通部として利用することができる。
【００２５】
第７の発明はドア装置に係り、このドア装置は、第１〜第６の発明のいずれか１つのドア枠と、このドア枠又は開口部周りの躯体に揺動可能に支持されたドアとを備えたことを特徴とする。このことで、第１の発明と同様の効果が得られる。
【００２６】
第８の発明は、第１の発明のドア枠の施工方法であって、予め、下地枠に締結金具としてのナット及び該ナットに螺合締結されるボルトの一方を係合する一方、化粧枠には上記ボルトを挿通可能なボルト挿通孔を形成しておき、上記下地枠を開口部周りの躯体に取付固定し、上記ボルトを化粧枠のボルト挿通孔に挿通させて上記ナットに締結することにより、化粧枠を下地枠に取付固定することを特徴とする。
【００２７】
この第８の発明では、ドア枠の施工時、予めナット又はボルトの一方が係合されている下地枠と、予めボルト挿通孔が形成されている化粧枠とを用意しておき、まず、下地枠が開口部周りの躯体に取付固定される。そして、この下地枠に対し化粧枠が取付固定され、その際、ボルトが化粧枠のボルト挿通孔に挿通されてナットに締結される。このことで、ドア枠を容易に施工することができる。
【発明の効果】
【００２８】
以上説明したように、本発明によると、ドア枠は躯体に常時固定される下地枠と、その上に固定金具によって着脱可能に固定される化粧枠との二重構造としたことにより、ドア枠を交換するときには、下地枠はそのままで、固定金具による固定状態を解除し、化粧枠のみを取り外して新しいものと交換すればよく、リフォームの作業や工事を容易にかつ簡潔に行うことができるとともに、通常の使用時にドア枠は躯体に強固に固定され、そのドア枠の信頼性を高めることができる。
【図面の簡単な説明】
【００２９】
【図１】図１は、本発明の実施形態に係るドア装置の正面図である。
【図２】図２は、開口部周りの柱に取り付けられたドア枠の拡大断面図である。
【図３】図３は、下地枠の斜視図である。
【図４】図４は、下地枠の拡大断面図である。
【図５】図５は、化粧枠の第１枠材を長さ方向から見た拡大図である。
【図６】図６は、第１枠材の拡大側面図である。
【図７】図７は、化粧枠の第２枠材を長さ方向から見た拡大図である。
【図８】図８は、第２枠材の拡大側面図である。
【図９】図９は、縦枠の上端部を示す斜視図である。
【図１０】図１０は、ドア枠の上角部を下側から見て示す斜視図である。
【図１１】図１１は、ドア枠の上角部の拡大正面図である。
【発明を実施するための形態】
【００３０】
以下、本発明の実施形態を図面に基づいて詳細に説明する。以下の実施形態の説明は、本質的に例示に過ぎず、本発明、その適用物或いはその用途を制限することを意図するものでは全くない。
【００３１】
図１において、１は建物の壁部、２は壁部１に形成された開口部であり、この開口部２の周りには、左右両側に位置する躯体としての柱３，３と、上側に位置して柱３，３間に横架された躯体としてのまぐさ４とが配置されており、図２に示すように、壁部１は各柱３及びまぐさ４の上から両側の壁材５，５が施工された大壁構造となっている。
【００３２】
上記開口部２には、本発明の実施形態に係るドア装置８が施工されている。このドア装置８は、壁部１の開口部２に施工されるドア枠１１と、このドア枠１１又は開口部２周りの柱３（躯体）に上下の丁番９，９によって揺動可能に支持され、開閉操作用のレバー１０ａを有するドア１０とを備えている。
【００３３】
本発明の特徴は上記ドア枠１１にある。このドア枠１１は、開口部２周りでその左右両側に配置される左右の縦枠１２，１２と、開口部２の上側に配置される水平方向の上枠１３（横枠）とからなる三方枠となっている。
【００３４】
図２に示すように、上記各縦枠１２及び上枠１３は基本的に同じ断面構造であり、下地枠１５（下地部材）と、その上（開口部２の中央側）に重ねて配置される化粧枠２０との二重構造とされ、これら下地枠１５及び化粧枠２０はいずれも例えば木質材からなっている。
【００３５】
上記下地枠１５は、縦枠１２にあっては開口部２周りの躯体である柱３の側面に、上枠１３にあっては同様のまぐさ４の下面にそれぞれ裏面にて複数のビスＶ，Ｖ，…（固定具）により固定されている。
【００３６】
図３及び図４に示すように、下地枠１５は、柱３やまぐさ４の幅と同じかそれよりも小さい幅を有する厚さ１０〜２０ｍｍの長尺の厚肉板材からなり、その表面にはその長さ方向の全体に亘って延びる溝部１６が連続して形成されており、下地枠１５はこの溝部１６の底壁部を貫通するビスＶ，Ｖ，…によって柱３やまぐさ４に固定されている。これら複数のビスＶ，Ｖ，…は下地枠１５の長さ方向に一定間隔（例えば２００〜３００ｍｍ）をあけて配置されている。
【００３７】
また、上記下地枠１５の溝部１６には、予め、各ビスＶを貫通させる位置とは異なる部分に複数の埋込ナット３６，３６，…（締結金具）が抜け出し不能に埋め込まれた状態で一体的に係合されている。具体的には、溝部１６にはその底部の溝側面両側を他の部分よりも溝幅方向に拡がるように掘り込んだ１対の係合凹条１６ａ，１６ａが溝部１６の全体に亘り形成されている。各埋込ナット３６は、溝部１６に回転不能に嵌合される四角ナットからなり、その裏側の端部には、ナット３６の対向辺部からナット中心と直交する方向に互いに離隔するように突出する薄板矩形状の１対の係合突片３６ａ，３６ａが一体に形成されており、これら係合突片３６ａ，３６ａを上記溝部１６の端部から係合凹条１６ａ，１６ａに嵌入させることで、各埋込ナット３６が溝部１６にスライド移動可能にかつ溝部から抜け出し不能に係合されている。尚、埋込ナット３６は、溝部１６においてスライド移動可能に係合されているが、基本的に移動させずに後述の第１及び第２枠材２１，２２のボルト挿通孔２７，３０と対応する位置に接着剤等により接着固定されており、化粧枠２０を施工現場でカットした際に埋込ナット３６の位置が変わる等して、位置合わせが必要なときに移動される。そして、この各埋込ナット３６は、該埋込ナット３６に螺合締結される締結ボルト３７とで固定金具３５を構成している。
【００３８】
これに対し、上記化粧枠２０は下地枠１５の表面に上記固定金具３５（埋込ナット３６及び締結ボルト３７）により着脱可能に取付固定されている。この化粧枠２０は、各縦枠１２及び上枠１３において同様の構造であり、壁部厚さ方向の一側（図２で右側）に位置する第１枠材２１と、他側（同左側）に位置する第２枠材２２とに分割されている。図５〜図８に示すように、第１及び第２枠材２１，２２は、いずれも、下地枠１５への取付部をなす板状の基部２４と、該基部２４の幅方向一端から基部２４と直交する方向に延びる板状の側部２５とからなる断面略Ｌ字形状のものであり、両枠材２１，２２の側部２５，２５は基部２４，２４に対し開口部２の中央と反対側である外側に向かうように互いに同じ方向に平行に延びており、この両側部２５，２５により、上記下地枠１５と、開口部２周りの壁部１の一部（壁材５）とを表側及び裏側からを覆うようになっている。
【００３９】
具体的には、図５及び図６にも示すように、第１枠材２１においては、側部２５が基部２４の幅方向一端から延びていて、この側部２５により下地枠１５と開口部２周りの壁部１の一部とが例えば表側から覆われる。基部２４の幅は壁部１の厚さよりも小さく、その基部２４において側部２５と反対側の幅方向他端寄りで上記下地枠１５上の埋込ナット３６に対応する部位には、上記締結ボルト３７を挿通可能な複数のボルト挿通孔２７，２７，…が所定の間隔をあけて貫通形成され、この各ボルト挿通孔２７は基部２４の幅方向（壁部厚さ方向）に延びる長孔からなっている。
【００４０】
一方、図７及び図８にも示すように、第２枠材２２においても、側部２５が基部２４の幅方向一端から延びており、この側部２５の向きは上記のように第１枠材２１の側部２５と同じ向きであるが、その幅は第１枠材２１の側部２５よりも少し大きくなっており、この側部２５により下地枠１５と開口部２周りの壁部１の一部とが例えば裏側からを覆われるようになっている。第２枠材２２の基部２４の幅は壁部１の厚さよりも小さく、その厚さは第１枠材２１の基部２４よりも厚く、この基部２４裏面の幅方向他端部には第１枠材２１の基部２４の厚さと同じ深さだけ切り欠いた段差部２８が形成されており、この段差部２８に第１枠材２１の基部２４を収容することで、第１及び第２枠材２１，２２の基部２４，２４同士が重なって、第２枠材２２の段差部２８以外の基部２４裏面と第１枠材２１の基部２４裏面とが面一になり、第１及び第２枠材２１，２２からなる化粧枠２０が全体として断面コ字状となって開口部２周りの壁部１に被さり、側部２５，２５が下地枠１５と開口部２周りの壁部１の一部とを覆うようになっている。第１及び第２枠材２１，２２の側部２５，２５の幅は例えば４０〜５０ｍｍであり、そのうち開口部２周りの壁部１に被さる寸法は２０〜３０ｍｍ程度が好ましい。
【００４１】
また、第１及び第２枠材２１，２２の側部２５，２５の厚さを各縦枠１２と上枠１３とで比較したとき、図５〜図８で実線にて示す、縦枠１２における側部２５，２５の厚さは、同図で仮想線にて示す、上枠１３における側部２５，２５の厚さよりも厚くなっている。
【００４２】
第２枠材２２の基部２４表面には、その幅方向他端（側部２５と反対側）寄りで裏面の段差部２８に対応する部位に、戸当たり４０（図７で仮想線にて示す）を収容して固定するための戸当たり取付溝２９が第２枠材２２の長さ方向の全体に亘って形成されている。この戸当たり取付溝２９の底壁部において上記下地枠１５上の各埋込ナット３６（及び第１枠材２１の各ボルト挿通孔２７）に対応する部位には、上記締結ボルト３７を挿通可能な複数の円形孔からなるボルト挿通孔３０，３０，…が所定の間隔をあけて貫通形成されている。このボルト挿通孔３０は、例えば第２枠材２２の側部２５内面が壁部１に当接したときに下地枠１５上の埋込ナット３６に一致する位置にある。そして、上記のように第１及び第２枠材２１，２２の基部２４，２４同士が重なった状態にあるとき、複数の締結ボルト３７，３７，…の各々を両枠材２１，２２の合致したボルト挿通孔２７，３０に挿通させ、その挿通された各締結ボルト３７を下地枠１５上の埋込ナット３６に螺合締結することにより、化粧枠２０の両枠材２１，２２が下地枠１５に対し着脱可能にかつ壁部１の厚さ方向に互いに相対移動して化粧枠２０の幅が調整可能となるように取付固定されている。
【００４３】
上記第２枠材２２の各ボルト挿通孔３０は、戸当たり取付溝２９の内部側に他の部分よりも大径の大径部３０ａを有する段付き構造（段堀構造）のものであり、各締結ボルト３７による締結状態では、その頭部３７ａをボルト挿通孔３０の大径部３０ａに収容して、戸当たり取付溝２９内に突出させないようにしている。こうすれば、戸当たり取付溝２９に戸当たり４０を嵌合して取り付けるときに問題が生じることはない。
【００４４】
図９に示すように、縦枠１２における化粧枠２０の第１及び第２枠材２１，２２には、その両側部２５，２５を化粧枠２０の長さ方向である上方に基部２４，２４（両側部２５，２５以外の化粧枠２０の他の部分）よりも延ばした延長部３２，３２が形成されている。図１０及び図１１に示すように、第１枠材２１の延長部３２の基部２４上端からの突出長さＬは、上枠１３の化粧枠２０における第１枠材２１の側部２５の幅ｄ（上下幅）に第２枠材２２の基部２４の厚さを加えた寸法と同じとなっている。また、同様に、第２枠材２２の延長部３２の基部２４上端からの突出長さは、上枠１３の化粧枠２０における第２枠材２２の側部２５の幅（上下幅）と同じとなっている。そして、縦枠１２の上端部に上枠１３の左右端部を配置したとき、縦枠１２の化粧枠２０における第２枠材２２と上枠１３の化粧枠２０における第２枠材２２とが、前者の基部２４上面に後者の基部２４が載置された状態で部分的に重なり、かつ縦枠１２の化粧枠２０における第１及び第２枠材２１，２２の側部２５，２５の延長部３２，３２側面が、上枠１３の化粧枠２０における第１及び第２枠材２１，２２の側部２５，２５の長さ方向端部（左右端部）に同じ面内で突き合わされた状態になって、縦枠１２が上枠１３に優先されたいわゆる縦勝ちの配置となり、その延長部３２を含む側部２５が上枠１３の側部２５よりも上記両者の厚さの差によって突出するようにしている。
【００４５】
このように縦枠１２及び上枠１３の同じ断面形状の化粧枠２０，２０を直交方向に突き合わせることで、各々の第１枠材２１，２１の基部２４，２４の間に隙間が生じることになるが、図９に示すように、予め、縦枠１２の第１枠材２１の基部２４には、その側部２５側の上端を上方に延長して側部２５の延長部３２と一体化した延長部２４ａが形成されており（図５及び図６には延長部２４ａを示していない）、この延長部２４ａ上端を上枠１３の第１枠材２１の基部２４に当接させることで、隙間が生じるのを回避するようにしている。
【００４６】
以上の構成のドア枠１１及びドア装置８を施工する場合、予め、縦枠１２及び上枠１３の各々の下地枠１５の溝部１６に複数の埋込ナット３６，３６，…を埋め込み状態で係合しておく。そのとき、下地材１５の長さ方向端部から埋込ナット３６の係合突片３６ａ，３６ａを溝部１６の係合凹条１６ａ，１６ａに挿入し、埋込ナット３６を溝部１６内でスライド移動させて目的の位置で接着剤等により移動不能に固定すればよく、埋込ナット３６の位置合わせや位置決めが容易となる。一方、化粧枠２０の第１及び第２枠材２１，２２の基部２４，２４には、それぞれ上記各埋込ナット３６に螺合締結される締結ボルト３７を挿通可能なボルト挿通孔２７，３０を形成しておく。
【００４７】
そして、まず、上記下地枠１５を開口部２周りの柱３及びまぐさ４に複数のビスＶ，Ｖ，…により取付固定する。そのとき、下地枠１５は、位置決めのために両面テープを用いて柱３及びまぐさ４に固定しておいてもよい。
【００４８】
次に、縦枠１２については、その化粧枠２０の第１及び第２枠材２１，２２を、各々の側部２５の延長部３２と第１枠材２１の基部２４の延長部２４ａとが上側に位置するように配置し、各枠材２１，２２の下部をカットして化粧枠２０を必要長さに調節する。横枠１３については、その化粧枠２０の第１及び第２枠材２１，２２の長さ方向一端部又は両端部をカットして化粧枠２０の長さを調節する。その後、縦枠１２及び上枠１３の各々について、化粧枠２０における第２枠材２２の基部２４の段差部２８に第１枠材２１の基部２４を収容した状態で、両枠材２１，２２の基部２４，２４同士を重ならせて、段差部２８以外の基部２４裏面と第１枠材２１の基部２４裏面とを面一にし、両枠材２１，２２からなる化粧枠２０を断面コ字状として開口部２周りの壁部１に被せ、両枠材２１，２２の側部２５，２５で下地枠１５と開口部２周りの壁部１の一部とを覆うようにする。その状態で、化粧枠２０の両枠材２１，２２を長さ方向に位置調整して各々のボルト挿通孔２７，３０を互いに一致させ、同時に下地枠１５の埋込ナット３６に一致させる。このように位置が合わされた両枠材２１，２２のボルト挿通孔２７，３０に締結ボルト３７を挿通させて、その先端部を下地枠１５の埋込ナット３６に締結し、このことにより化粧枠２０を下地枠１５に取付固定する。
【００４９】
その際、第１枠材２１のボルト挿通孔２７が長孔であるので、第１枠材２１を第２枠材２２に対し移動させることで、側部２５，２５間の距離を変更して壁部１の厚さに対応させればよく、壁部１の厚さが薄いときには、第１枠材２１の側部２５を第２枠材２２の側部２５に近付け、厚いときには、第１枠材２１の側部２５を第２枠材２２の側部２５から離すようにする。
【００５０】
しかる後、このように固定された化粧枠２０の戸当たり取付溝２９に戸当たり４０を取り付け、ドア枠１１又は柱３にドア１０を丁番９，９によって吊り状態で支持し、ドア装置８の施工が完了する。各丁番９はドア枠１１の化粧枠２０ではなく、例えばその第１又は第２枠材２１，２２の側部２５，２５を丁番９の形状に合わせて切り欠いておき、その切欠き部分を通してドア枠１１の下地枠１５又は柱３に固定するのが好ましい。
【００５１】
また、リフォーム等のためにドア枠１１を交換する場合には、ドア１０や戸当たり４０等を外した後に縦枠１２及び上枠１３の各々について、各締結ボルト３７を取り外して化粧枠２０の第１及び第２枠材２１，２２のみを下地枠１５から取り外し、新たな化粧枠２０の第１及び第２枠材２１，２２を元の下地枠１５にその埋込ナット３６への締結ボルト３７の螺合締結によって固定し、その後に戸当たり４０やドア１０を取り付ければよい。
【００５２】
したがって、この実施形態においては、ドア枠１１の左右の縦枠１２，１２及び上枠１３の各々は、開口部２周りの柱３及びまぐさ４に固定される下地枠１５と、その下地枠１５に締結ボルト３７及び埋込ナット３６の螺合締結によって着脱可能に取付固定される化粧枠２０との二重構造であるので、リフォーム等のためにドア枠１１を交換するときには、上記のようにドア枠１１のうちの下地枠１５はそのままで、締結ボルト３７による固定状態を解除し、化粧枠２０のみを取り外して新しいものと交換することができる。このように化粧枠２０のみを交換することにより、開口部２周りの壁材５のクロスや壁紙等が剥がれることはなく、ドア枠１１の交換が容易になってリフォームの作業や工事を容易にかつ簡潔に行うことができるようになる。
【００５３】
また、下地枠１５は開口部２周りの柱３やまぐさ４に固定され、この下地枠１５に化粧枠２０が締結ボルト３７及び埋込ナット３６により取付固定されているので、通常の使用時にドア枠１１は全体として柱３やまぐさ４（躯体）に強固に固定された状態となり、そのずれや剥がれ、外れ等が生じることはなく、ドア枠１１やドア装置８の信頼性を高めることができる。
【００５４】
さらに、化粧枠２０が第１及び第２枠材２１，２２に分割され、第１枠材２１のボルト挿通孔２７が長孔で、その第１枠材２１が第２枠材２２に対し壁部１の厚さ方向に相対移動可能に下地枠１５に取付固定されているので、壁部１の厚さに合わせて化粧枠２０の幅を調整するときには、締結ボルト３７を下地枠１５の埋込ナット３６から緩めた状態で、第１枠材２１を第２枠材２２に対し相対移動させて化粧枠２０の幅を調整し、その調整状態で締結ボルト３７を埋込ナット３６に締め付けて両枠材２１，２２を下地枠１５に固定すればよい。このことで、例えば壁部１の厚さが施工箇所で種々に異なっていても、それに合わせて化粧枠２０（ドア枠１１）の幅を容易に調整することができる。
【００５５】
また、化粧枠２０の第１及び第２枠材２１，２２には、壁部厚さ方向の両端部に側部２５，２５が形成されているので、施工状態では、これらの側部２５，２５により下地枠１５や開口部２周りの壁部１が覆われるようになり、下地枠１５の全体が表に露出することはなく、化粧枠２０のみが見えるようになり、ドア枠１１の意匠性を高めることができる。また、この化粧枠２０の側部２５，２５により開口部２周りの壁部１も覆われるので、ドア枠１１の納まりが良好になって見映えがさらに良くなる。
【００５６】
そして、縦枠１２の化粧枠２０における第１及び第２枠材２１，２２は、壁部厚さ方向の両側部２５，２５が基部２４，２４よりも化粧枠２０の長さ方向に延びた延長部３２，３２を有するので、ドア枠１１を前側又は後側から見たとき、縦枠１２の化粧枠２０の延長部３２，３２がその幅方向の側縁部で上枠１３の化粧枠２０の側部２５，２５の長さ方向端部に突き合わされた状態になる。このため、ドア枠１１は縦枠１２が上枠１３に優先されたいわゆる縦勝ちの配置となり、その延長部３２を含む側部２５が上枠１３の側部２５よりも突出して、通常一般のドア枠１１と同様の外観が得られる。
【００５７】
また、下地枠１５の表面に溝部１６が形成されていて、予めその溝部１６に固定金具３５の埋込ナット３６が埋込状態で係合され、化粧枠２０の第１及び第２枠材２１，２２には上記埋込ナット３６に螺合締結される締結ボルト３７を挿通可能なボルト挿通孔２７，３０が形成されているので、化粧枠２０のボルト挿通孔２７，３０に締結ボルト３７を挿通して下地枠１５の埋込ナット３６に締結することで、化粧枠２０が下地枠１５に取付固定される。このことで、化粧枠２０を下地枠１５に対し着脱するときには、締結ボルト３７の埋込ナット３６に対する螺合締結及びその解除だけで済み、ビス止めする構造等に比べて化粧枠２０を容易に着脱することができる。
【００５８】
また、下地枠１５に予め埋込ナット３６が係合固定されているので、その埋込ナット３６の位置に化粧枠２０の第１及び第２枠材２１，２２のボルト挿通孔２７，３０を合わせるだけで下地枠１５に対する化粧枠２０の取付位置が容易に判るようになり、施工性が向上する。しかも、化粧枠２０を固定する締結ボルト３７は下地枠１５の埋込ナット３６に締結されるので、その締結ボルト３７が柱３やまぐさ４まで達することはなく、それらに不要に穴が開いて傷付くのを防ぐことができる。
【００５９】
上記下地枠１５の表面に、埋込ナット３６を埋め込み状態で収納するための溝部１６が長さ方向の全体に亘って形成され、この溝部１６の底壁部を貫通するビスＶにより下地枠１５が柱３やまぐさ４に固定されている。そのため、下地枠１５の溝部１６を埋込ナット３６の埋込みだけでなく、ビスＶの貫通部として利用することができる。
【００６０】
（その他の実施形態）
上記実施形態では、固定金具３５は、予め下地枠１５の溝部１６に埋込状態で固定され埋込ナット３６と、その埋込ナット３６に螺合締結される締結ボルト３７とで構成しているが、予め下地枠１５に埋込ボルトを下地枠１５の表面から突出するように係合固定し、その埋込ボルトを化粧枠２０のベルト挿通孔２７，３０に挿通させて、その先端部に化粧枠２０の表面側からナットを螺合締結するようにしてもよい。
【００６１】
上記実施形態では、化粧枠２０を第１及び第２枠材２１，２２に分割することにより、その化粧枠２０の幅を調整可能としているが、この化粧枠２０の幅の調整を不要とする場合には、化粧枠２０は分割せずに１つとすればよい。その場合、化粧枠２０は１つの基部２４と、その幅方向両側に形成された１対の側部２５，２５とを有する断面コ字状のものとなる。
【００６２】
また、上記実施形態では、縦枠１２の化粧枠２０の両側部２５，２５に上方に延びる延長部３２，３２を形成し、その延長部３２，３２の幅方向の側縁部で上枠１３の化粧枠２０の側部２５，２５の長さ方向端部に突き合わせているが、逆に、上枠１３の化粧枠２０の両側部２５，２５に左右方向に延びる延長部３２，３２を形成し、その延長部３２，３２の幅方向の側縁部で縦枠１２の化粧枠２０の側部２５，２５の上端部（長さ方向端部）に突き合わせるようにしてもよく、上枠１３が縦枠１２に優先されたいわゆる横勝ちの配置となる。
【００６３】
また、化粧枠２０の壁部厚さ方向の両端部に側部２５，２５を設けることは必須の構造ではないが、下地枠１５や開口部２周りの壁部１を覆って意匠性を高めることができる点で、側部２５，２５を設けるのが好ましい。
【００６４】
また、上記実施形態では、下地枠１５及び化粧枠２０は、縦枠１２及び上枠１３の双方で側部２５の厚さが異なる断面形状であるが、互いに同じ断面形状としてもよい。そうすれば、下地枠１５及び化粧枠２０を縦枠１２及び上枠１３において共用できるので（長さだけ異ならせればよい）、例えば設計上有利となる。
【００６５】
また、上記実施形態では、ドア枠１１が三方枠の場合であるが、本発明は四方枠のドア枠１１にも適用することができる。四方枠のドア枠１１は、左右の縦枠１２，１２及び上枠１３に加え、開口部２の下側に配置される水平方向の下枠（横枠）を備えたものであり、その下枠は上枠１３と同様の構造とすればよい。
【産業上の利用可能性】
【００６６】
本発明は、ドア枠１１の交換が容易になるとともに、通常の使用時のドア枠１１の信頼性を高めることができ、極めて有用で産業上の利用可能性が高い。
【符号の説明】
【００６７】
Ｖ  ビス（固定具）
１  壁部
２  開口部
３  柱（躯体）
４  まぐさ（躯体）
８  ドア装置
１０  ドア
１１  ドア枠１１
１２  縦枠
１３  上枠（横枠）
１５  下地枠
１６  溝部
２０  化粧枠
２１  第１枠材
２２  第２枠材
２４  基部
２５  側部
ｄ  幅
２７  ボルト挿通孔
３０  ボルト挿通孔
３２  延長部
３５  固定金具
３６  埋込ナット（締結金具）
３７  締結ボルト（締結具）
【図１】
2020066885.tif 000003
【図２】
2020066885.tif 000004
【図３】
2020066885.tif 000005
【図４】
2020066885.tif 000006
【図５】
2020066885.tif 000007
【図６】
2020066885.tif 000008
【図７】
2020066885.tif 000009
【図８】
2020066885.tif 000010
【図９】
2020066885.tif 000011
【図１０】
2020066885.tif 000012
【図１１】
2020066885.tif 000013